(57)【要約】【課題】  洗口液を用いての口濯ぎによる清涼感の持続時間は極めて短く、朝起きてもまだ効果が持続していて口内がスッキリした状態にある、などと言うことはあり得なかった。従って殺菌効果やスッキリ感が就寝中にも持続するようには出来ないだろうか、と言うのがこの発明の課題である。【解決手段】  そこでこの発明では、患者の歯列にぴたりと合ったマウスピースを作り、この中に洗口液を塗って歯列に装着するようにした。これにより洗口液がムダに口内に流れ出すことが少なくなり、一晩に渡って殺菌の効果やスッキリした感じが持続するようになった。このような患者の歯列に適合するマウスピースを製作するに当たってはより低価格で提供したいと言うこともあって、その歯型取りの段階で患者自身にこれを行ってもらう方法を提供する。【選択図】図１
2014030683.tif 000002
【特許請求の範囲】
【請求項１】
厚さが数ミリ程度の型取り材を噛んで雌型の歯型をユーザー自身で取る第１の工程と、この雌型の歯型に石膏などの型材を詰めて雄型の歯型を作る第２の工程と、この雄型の歯型を用いてシリコーンなどの感触の良い素材から成る深さの浅いマウスピースを得る第３の工程と、を経るマウスピースの製造方法。
【請求項２】
トレイに型取り剤を詰める第１の工程と、トレイの前記型取り材を詰めた部位を噛んで雌型の歯型をユーザー自身で取る第２の工程と、この雌型の歯型に石膏などの型材を詰めて雄型の歯型を作る第３の工程と、この雄型の歯型を用いてシリコーンなどの感触の良い素材から成る深さの深いマウスピースを得る第４の工程と、を経るマウスピースの製造方法。
【請求項３】
請求項１または請求項２の何れか一のマウスピースの製造方法によって製造されるマウスピース。
【請求項４】
前記マウスピースと、このマウスピースの内側に付ける洗口剤と、の組み合わせに成る請求項３に記載のマウスピース。
【請求項５】
前記洗口剤がゲル状である請求項４に記載のマウスピース。
【請求項６】
請求項４または請求項５のマウスピースの内側に洗口剤を付けて歯に被せ、就寝時などに於ける歯の殺菌を行うようにする、マウスピースによる殺菌方法。
【請求項７】
さらにホワイトニング剤または歯磨き剤を用いる、請求項６に記載のマウスピースによる殺菌方法。
【請求項８】
洗口剤のゲル状の層と、ホワイトニング剤のゲル状の層または歯磨き剤のゲル状の層とが、並んで押し出されるように詰められて成る、マウスピース用の洗口剤。
【発明の詳細な説明】
【技術分野】
【０００１】  この発明は、主として就寝時に、内側に洗口剤を付け歯に被せて使用することにより、歯や口内の殺菌を行うことが出来るようにしたマウスピースに関する。
【背景技術】
【０００２】  就寝中に口内に雑菌が繁殖しやすいことが知られている。舌が喉の方に後退して上顎に着かなくなることでも雑菌が繁殖することが分かって来た。雑菌の繁殖は強い口臭や虫歯や歯周病の原因ともなる。【０００３】  口内の雑菌の繁殖を抑えたり殺菌を行う洗口液（デンタルリンスやマウスウォッシュなどと呼ばれるものである）としてジョンソン・エンド・ジョンソン社のリステリン（いずれも登録商標）が特に有名である。これを以て就寝前に口濯ぎをしておくと、口内のベタベタ感が除かれてスッキリすることが分かる。
【発明の概要】
【発明が解決しようとする課題】
【０００４】  しかしながらこのような口濯ぎによる清涼感の持続時間は極めて短く、朝起きてもまだ効果が持続していて口内がスッキリした状態にある、などと言うことはあり得なかった。従ってこのような問題を解決して、殺菌効果やスッキリ感が就寝中にも持続するようには出来ないだろうか、と言うのがこの発明の課題である。
【課題を解決するための手段】
【０００５】  そこでこの発明では、患者の歯列にぴたりと合ったマウスピースを作り、この中に洗口液を塗って歯列に装着するようにした。これにより洗口液がムダに口内に流れ出すことが少なくなり、一晩に渡って殺菌の効果やスッキリした感じが持続するようになった。このような患者の歯列に適合するマウスピースを製作するに当たってはより低価格で提供したいと言うこともあって、その歯型（印象）取りの段階で患者自身（ユーザー自身）にこれを行ってもらうのが良いと考えた。【０００６】  そこで請求項１の発明は、厚さが数ミリ程度の型取り材を噛んで雌型の歯型をユーザー自身で取る第１の工程と、この雌型の歯型に石膏などの型材を詰めて雄型の歯型を作る第２の工程と、この雄型の歯型を用いてシリコーンなどの感触の良い素材から成る深さの浅いマウスピースを得る第３の工程と、を経るマウスピースの製造方法とした。このマウスピースは歯の先２ｍｍ程度に被冠するものである。型取り材には熱可塑性樹脂などを任意に使用して良い。またその形状は歯列の形状に合う略Ｕ字形状としたり、略Ｕ字の内側を陸続きとした形状であって良い。取り扱いがしやすいようにハンドル部を設けるようにしても良い。この第１の工程を患者自身で行い、これに続く他の工程を歯科診療所側で行うようにするのである。このようにして得られたマウスピースは、その窪みに洗口剤を塗ってから歯列に被せるようにする。こうして洗口剤はマウスピースの窪みと歯の間に止まって、ムダに口内に流れ出すことが少なくなり、殺菌効果やスッキリ感が就寝中も持続するようになった。なお洗口剤がゲル状であるとさらに良い。【０００７】  また請求項２の発明では、トレイに型取り剤を詰める第１の工程と、トレイの前記型取り材を詰めた部位を噛んで雌型の歯型をユーザーが自分で取る第２の工程と、この雌型の歯型に石膏などの型材を詰めて雄型の歯型を作る第３の工程と、この雄型の歯型を用いてシリコーンなどの感触の良い素材から成るマウスピースを得る第４の工程とを経るマウスピースの製造方法とした。この内の第２の工程を患者自身で行って、これに前後する他の工程を歯科診療所側で行うようにするのである。デンタルトレイの形状は歯列の形状に合う略Ｕ字形状にすると良い。略Ｕ字の内側を陸続きとした場合には、トレイの中に詰めた型取り材をユーザーが噛んだ際のトレイの変形が殆どなくなる。またトレイは取り扱いがしやすいようにハンドル部を備えるとなお良い。型取り材にはアルギン酸塩印象材や寒天印象材等を任意に使用して良い。このマウスピースは請求項１のものに比して深型であり歯間乳頭部までにも被冠するものであることが好ましい。すなわちマウスピースの窪みに洗口剤を塗ってから歯列に被せるようにすると、鼓形空隙や歯周ポケットにまで洗口剤による殺菌効果やスッキリ感を及ぼすことが出来る。しかも洗口剤はマウスピースの窪みと歯の間に止まってムダに口内に流れ出すことが少ない。なお洗口剤がゲル状であるとさらに都合が良い。【０００８】  なお請求項２の発明に於いてバキュームフォーマーを用いるようにすることで、歯列や各歯にピッタリとフィットするマウスピースを得ることが出来る。また請求項１の発明に於いても請求項２の発明に於���ても、薄い紙片を歯に付けてから型取り材で雌型の歯型を取るようにしても良い。これによりこのマウスピースを歯列に被せた時に、紙片に洗口剤を吸着させて成る所の洗口剤吸着紙を歯列とマウスピースの間に納めることが出来、洗口剤を長時間マウスピースに止めることが可能になる。なおさらに、ホワイトニング剤や歯磨き剤を洗口剤と共に用いるようにしても良い。例えば洗口剤のゲル状の層と、ホワイトニング剤のゲル状の層または歯磨き剤のゲル状の層とが、並んで押し出されるように詰められて成る、マウスピース用の洗口剤などとして提供するのである。その何れも洗口剤と共にその作用を就寝中に及ぼすものである。
【発明の効果】
【０００９】  この発明によれば、患者の歯列や歯にフィットするマウスピースを作り、この中に洗口液を塗って歯列に装着するようにしたので、洗口液がムダに口腔内に流れ出すことが少なくなって、殺菌効果やスッキリ感が就寝中にも持続するようになると言う効果を奏する。なお歯型取りの工程は患者自身にこれを行ってもらうことによって医療行為でなくなり、マウスピースをより低価格で提供することが可能となる。
【図面の簡単な説明】
【００１０】
【図１】  実施例１を斜視した説明図である。
【図２】  マウスピース１の製造方法の説明図である。
【図３】  マウスピース１を用いた殺菌方法の説明図である。
【図４】  実施例２の製造方法で用いるトレイ３の説明図である。
【図５】  実施例２を斜視した説明図である。
【図６】  マウスピース６の製造方法の説明図である。
【図７】  マウスピース６を用いた殺菌方法の説明図である。
【図８】  実施例３の洗口ジェルの説明図である。
【発明を実施するための形態】
【実施例１】
【００１１】  図１〜図３によりこの実施例のマウスピース１を説明する。このマウスピース１は歯と歯列に嵌合する嵌合部１０を有し、噛合面から２ｍｍの所が口縁部１１となるように形成される。すなわち湯で温めて軟化させた厚さ数ｍｍの熱可塑性樹脂シートを患者に渡して患者自身の行為として噛んでもらいその歯型を取り（ステップＳ１）、この雌型が硬化したら、診療所側ではこれに石膏を詰めて硬化させて雄型の歯型を作り（ステップＳ２）、続いてこの雄型を使用してシリコーン樹脂を固めたマウスピース１を製作する（ステップＳ３）。このようにして作られたマウスピース１を患者が使用するわけであるが、口縁部１１の側から嵌合部１０の中に洗口ジェル２を塗り付け（ステップＳ４）、マウスピース１を歯列に被せ、指先で歯Ｔの１本１本に対して押さえ付けるようにして歯Ｔに密着させて（ステップＳ５）、このまま就寝し朝まで装着し続けるようにする（ステップＳ６）。【００１２】  当然のことながらマウスピース１はこの患者の歯と歯列にピタリと嵌合し、洗口ジェル２は歯Ｔの露わな部分は勿論のこと歯間や鼓形空隙や歯周ポケットにまでその殺菌作用を及ぼす。また上記嵌合によって洗口ジェル２はムダに口腔内に流れ出すことが少なくなっており、殺菌効果やスッキリ感が就寝から朝まで持続するのである。なおこの洗口ジェル２はゲル化剤を用いて洗口液をゲル化させて成るものである。
【実施例２】
【００１３】  図４〜図７によりこの実施例のマウスピース６を説明する。このマウスピース６は歯と歯列に嵌合する嵌合部６０を有し、噛合面から歯間乳頭当接部６１を越える範囲をカバーし得る深さのものとなるように形成される。このために患者自身に雌型の歯型を取ってもらうための道具としてトレイ３を用いる。すなわち先ず診療所側でトレイ３の略Ｕ字形状の溝にアルギン酸塩印象材４を練り込み（ステップＳ７）、次に患者にこれを渡して患者自身の行為としてトレイのアルギン酸塩印象材４の部分を噛んでもらってその歯型を取り（ステップＳ８）、この雌型が硬化したら診療所側ではこれに石膏５を詰めて硬化させて雄型の歯型を作り（ステップＳ９）、この雄型にシリコーン樹脂を注入して固めたマウスピース６を製作する（ステップＳ１０）。このようにして作られたマウスピース６を患者が使用するわけであるが、歯間乳頭当接部６１の側から嵌合部６０の内部に洗口液２０を注入し（ステップＳ１１）、マウスピース６を歯列に被せ、指先で歯の１本１本に対して押さえ付けるようにして歯列に密着させて（ステップＳ１２）、このまま就寝し起床まで装着し続けるようにする（ステップＳ１３）。【００１４】  こうしてマウスピース６はこの患者の歯と歯列にピタリと嵌合して、洗口液２０は歯の露わな部分は勿論のこと歯間や鼓形空隙や歯周ポケットにまでその殺菌作用を及ぼすのである。また嵌合部６０は深く形成されているため、歯と歯列にピタリと嵌合させると洗口液２０がムダに口腔内に流れ出すことは少ない。従って殺菌効果やスッキリ感が就寝から朝まで持続するのである。【００１５】  それでもなお洗口液２０の保持を確実にしたい場合や、洗口液２０の持続時間を長くしたいと言うような場合には、例えば次のようにすれば良い。すなわち上記ステップＳ８で患者自身が雌型の歯型を取るに際して後述する洗口剤吸着紙７と同一形状の紙片を歯列の噛合面に宛がい、それから上記トレイ３のアルギン酸塩印象材４の部分を噛んでその歯型を取るのである。するとステップＳ１０で得られるマウスピース６には嵌合部６０の最奥の部分に上記紙片の分の隙間が形成されていることになる。この隙間すなわち溝には上記洗口剤吸着紙７を納めることが出来る（図５の鎖線で表した部位）。【００１６】  この用い方であるが歯間乳頭当接部６１の側から嵌合部６０の内部に洗口液２０を注入すると（ステップＳ１４）、洗口液２０は嵌合部６０の最奥の部分に納められた洗口剤吸着紙７に吸収される。この後は上述したステップＳ１２〜ステップＳ１３を経る。洗口液２０は洗口剤吸着紙７から徐々に染み出すため持続効果が高いと言う利点がある。これは別の視点からすると、洗口液２０を含んだ洗口剤吸着紙７を歯列に付けるだけでは洗口液２０が程なくして失われてしまうが、この実施例２では洗口剤吸着紙７がマウスピース６で覆われているために洗口液２０の持続時間が長いのであると言うことが出来る。【００１７】  なお上記は嵌合部６０に洗口剤吸着紙７を納めて洗口液２０を吸収させる使用法であるが、これとは異なる使用法もある。これは図示しないが、洗口剤を細長いテープ状に形成したものを嵌合部６０に納めるようにするものである。従ってこの場合には洗��液２０を用いないと言う考え方もあろう。
【実施例３】
【００１８】  図８でこの発明のマウスピースに使用するチューブ入りの洗口ジェルを説明する。洗口ジェルチューブ８はその内部が口部８０まで独立した２部屋から成る（図示せず）。一方の部屋には洗口ジェル８１が充填されており、他方の部屋にはホワイトニングジェル８２が充填されている。ホワイトニングジェル８２はホワイトニング剤をゲル化したものである。なおホワイトニングジェル８２の代わりに歯磨き剤をゲル化したものを充填することが可能である。【００１９】  そこで洗口ジェルチューブ８を絞ると、口部８０から洗口ジェル８１とホワイトニングジェル８２とが並んで絞り出されるが、この際に洗口ジェル８１とホワイトニングジェル８２とは口部８０で合わさって２層となる。各々の作用効果はその何れもが就寝中に口内に及ぼされることになる。
【産業上の利用可能性】
【００２０】  この発明は歯や口内の殺菌を行うマウスピース以外のマウスピースにも適用することが十分可能である。おもちゃの分野でも利用することが出来るであろう。
【符号の説明】
【００２１】  １    マウスピース                  １０  嵌合部
１１  口縁部
２    洗口ジェル                    ２０  洗口液
３    トレイ
４    アルギン酸塩印象材
５    石膏
６    マウスピース                  ６０  嵌合部
６１  歯間乳頭当接部
７    洗口剤吸着紙
８    洗口ジェルチューブ            ８０  口部
８１  洗口ジェル                    ８２  ホワイトニングジェル
【図１】
2014030683.tif 000003
【図２】
2014030683.tif 000004
【図３】
2014030683.tif 000005
【図４】
2014030683.tif 000006
【図５】
2014030683.tif 000007
【図６】
2014030683.tif 000008
【図７】
2014030683.tif 000009
【図８】
2014030683.tif 000010